(57)【特許請求の範囲】
【請求項１】
一端に開口部を有する矩形箱状の外箱と、前記開口部から外方にスライド可能に前記外箱に収納され、前記外箱の開口部を塞ぐ壁部を有する矩形箱状の内箱とを備え、前記内箱を前記開口部から前記外方にスライドしたときに前記内箱の一部が露出して当該露出部分の一側面側である前側が開口するスライドパッケージであって、
前記外箱は、当該外箱の内面に沿って前記内箱のスライド方向の内方に延出したインナフラップを備え、
前記内箱は、箱本体と、前記箱本体の前記一側面側とは反対側の後端部に前記内箱のスライド方向に垂直な前後方向に揺動可能に接続され前記壁部を含む蓋部と、前記蓋部の後部から前記内箱のスライド方向の内方に延出し前記インナフラップが係止される開口穴を有する係止部材を含んで構成され前記内箱が前記外方にスライドしたときに前記インナフラップが前記係止部材を介して前記蓋部の後部を引いて前記蓋部を後方に揺動させる開蓋手段と、を備え、
前記係止部材は、前記内箱から前記外箱に向けて後方に突出する突起部を有し、
前記インナフラップは、前記突起部を係止可能な係止穴を有し、
前記突起部は、前記係止部材に対して前記内箱のスライド方向に揺動可能に設けられ、前記内箱が前記外箱に収納されて前記壁部により前記開口部が塞がれたときに先端が前記外方を向いた状態で前記係止穴に進入して係止されるとともに当該先端が前記外箱に当接して前記内箱を前方に付勢し、前記内箱が前記外方にスライドしたときに前記先端が前記外方への向きから前記内方へ反転して前記係止穴から離脱可能に構成されていることを特徴とするスライドパッケージ。
【請求項２】
一端に開口部を有する矩形箱状の外箱と、前記開口部から外方にスライド可能に前記外箱に収納され、前記外箱の開口部を塞ぐ壁部を有する矩形箱状の内箱とを備え、前記内箱を前記開口部から前記外方にスライドしたときに前記内箱の一部が露出して当該露出部分の一側面側である前側が開口するスライドパッケージであって、
前記外箱は、当該外箱の内面に沿って前記内箱のスライド方向の内方に延出したインナフラップを備え、
前記内箱は、箱本体と、前記箱本体の前記一側面側とは反対側の後端部に前記内箱のスライド方向に垂直な前後方向に揺動可能に接続され前記壁部を含む蓋部と、前記蓋部の後部から前記内箱のスライド方向の内方に延出し前記インナフラップが係止される開口穴を有する係止部材を含んで構成され前記内箱が前記外方にスライドしたときに前記インナフラップが前記係止部材を介して前記蓋部の後部を引いて前記蓋部を後方に揺動させる開蓋手段と、を備え、
前記係止部材は、前記内箱から前記外箱に向けて後方に突出する突起部を有し、
前記インナフラップは、前記突起部を係止可能な係止穴を有し、前記外箱に前記内箱が収容されているときに前記開口穴に差し込まれ、前記係止部材に対して交差した状態であり、
前記突起部は、前記係止部材に対して前記内箱のスライド方向に揺動可能に設けられ、前記内箱が前記外箱に収納されて前記壁部により前記開口部が塞がれたときに先端が前記外方を向いた状態で前記係止穴に進入して係止されるとともに当該先端が前記外箱に当接することを特徴とするスライドパッケージ。
【請求項３】
前記突起部は、前記係止部材に切り込みを入れて当該係止部材の一部を引き起こして形成されることを特徴とする請求項１または２に記載のスライドパッケージ。
【請求項４】
前記切り込みは、前記開口穴の縁部から前記内箱のスライド方向の外方に向けて前記係止部材に入れられることを特徴とする請求項３に記載のスライドパッケージ。
【発明の詳細な説明】
【技術分野】
【０００１】
本発明は、シガレットの収納に好的なスライドパッケージに関する。
【背景技術】
【０００２】
シガレットを収納するパッケージとして、例えば矩形状の本体にヒンジを介して一体的な蓋を備えたヒンジリッド型のシガレットパッケージが広く知られている。
更に、蓋が完全に閉じた状態であることを知らしめるために、蓋の開閉時に可聴音を発生させることが可能なシガレットパッケージが提案されている。
例えば特許文献１では、ヒンジ部を跨いで箱本体の一部を突出させ、蓋の開時にこの突出部を曲げて可聴音を発生させる。【０００３】
また、特許文献２では、蓋と箱本体との間に係止手段を設け、蓋の開閉時にこの係止手段から可聴音が発生する。更に、この係止手段は蓋と箱本体とを係止する機能を有しており、蓋の閉じた状態において予期せぬ蓋の開きを防止して、パッケージ内に収納しているシガレット等の落下を防止することが可能となっている。
【先行技術文献】
【特許文献】
【０００４】
【特許文献１】特開２００５−２８７５０８号公報
【特許文献２】特開平１１−４９１４９号公報
【発明の開示】
【発明が解決しようとする課題】
【０００５】
近年では、ヒンジリッド型のシガレットパッケージだけでなく、種々の形状のシガレットパッケージが増加してきている。例えば、矩形状の外箱の上部が開口し、この外箱に内箱をスライドさせて収納するスライド型のシガレットパッケージ(スライドパッケージ)が提案されている。
そして、スライド型のシガレットパッケージにおいても、内箱の収納時に、特許文献１や特許文献２のように可聴音を発生させる機能が要求されている。特許文献１や特許文献２の構造では、ヒンジリッド型のシガレットパッケージに適用可能であっても、スライド型のシガレットパッケージでは可聴音を発生させるように適用することが困難である。
また、スライド型のシガレットパッケージは、内箱と外箱と間に隙間ができやすく、
例えばシガレットの葉のような細かな破片が隙間からこぼれ落ちる虞があり、これを簡単な構造で解消されることが望まれる。【０００６】
本発明は前述したような状況を鑑みてなされたもので、その目的は、簡単な構造で、内箱の収納時に可聴音を発生させるとともに、内箱の収納時に内箱と外箱との間の隙間を減少させて密封性を向上可能なスライドパッケージを提供することである。
【課題を解決するための手段】
【０００７】
上述の目的は、本願発明のスライドパッケージにより達成され、当該スライドパッケージは、一端に開口部を有する矩形箱状の外箱と、前記開口部から外方にスライド可能に前記外箱に収納され、前記外箱の開口部を塞ぐ壁部を有する矩形箱状の内箱とを備え、前記内箱を前記開口部から前記外方にスライドしたときに前記内箱の一部が露出して当該露出部分の一側面側である前側が開口するスライドパッケージであって、
前記外箱は、当該外箱の内面に沿って前記内箱のスライド方向の内方に延出したインナフラップを備え、
前記内箱は、箱本体と、前記箱本体の前記一側面側とは反対側の後端部に前記内箱のスライド方向に垂直な前後方向に揺動可能に接続され前記壁部を含む蓋部と、前記蓋部の後部から前記内箱のスライド方向の内方に延出し前記インナフラップが係止される開口穴を有する係止部材を含んで構成され前記内箱が前記外方にスライドしたときに前記インナフラップが前記係止部材を介して前記蓋部の後部を引いて前記蓋部を後方に揺動させる開蓋手段と、を備え、
前記係止部材は、前記内箱から前記外箱に向けて後方に突出する突起部を有し、
前記インナフラップは、前記外箱に前記突起部を係止可能な係止穴を有し、
前記突起部は、前記係止部材に対して前記内箱のスライド方向に揺動可能に設けられ、前記内箱が前記外箱に収納されて前記壁部により前記開口部が塞がれたときに先端が前記外方を向いた状態で前記係止穴に進入して係止されるとともに当該先端が前記外箱に当接して前記外箱に対して前記内箱を前方に付勢し、前記内箱が前記外方にスライドしたときに前記先端が前記外方への向きから前記内方へ反転して前記係止穴から離脱可能に構成されている。
【０００９】
あるいは、本願発明のスライドパッケージは、一端に開口部を有する矩形箱状の外箱と、前記開口部から外方にスライド可能に前記外箱に収納され、前記外箱の開口部を塞ぐ壁部を有する矩形箱状の内箱とを備え、前記内箱を前記開口部から前記外方にスライドしたときに前記内箱の一部が露出して当該露出部分の一側面側である前側が開口するスライドパッケージであって、
前記外箱は、当該外箱の内面に沿って前記内箱のスライド方向の内方に延出したインナフラップを備え、
前記内箱は、箱本体と、前記箱本体の前記一側面側とは反対側の後端部に前記内箱のスライド方向に垂直な前後方向に揺動可能に接続され前記壁部を含む蓋部と、前記蓋部の後部から前記内箱のスライド方向の内方に延出し前記インナフラップが係止される開口穴を有する係止部材を含んで構成され前記内箱が前記外方にスライドしたときに前記インナフラップが前記係止部材を介して前記蓋部の後部を引いて前記蓋部を後方に揺動させる開蓋手段と、を備え、
前記係止部材は、前記内箱から前記外箱に向けて後方に突出する突起部を有し、
前記インナフラップは、前記突起部を係止可能な係止穴を有し、前記外箱の前記内箱が収容されているときに前記開口穴に差し込まれ、前記係止部材に対して交差した状態であり、
前記突起部は、前記係止部材に対して前記内箱のスライド方向に揺動可能に設けられ、前記内箱が前記外箱に収納されて前記壁部により前記開口部が塞がれたときに先端が前記外方を向いた状態で前記係止穴に進入して係止されるとともに当該先端が前記外箱に当接することを特徴とする。
好ましくは、前記突起部は、前記係止部材に切り込みを入れて当該係止部材の一部を引き起こして形成される。
好ましくは、前記切り込みは、前記開口穴の縁部から前記内箱のスライド方向の外方に向けて前記係止部材に入れられる。
【発明の効果】
【００１０】
本発明のスライドパッケージでは、内箱が外箱に収納されて突起部が係止穴に係止されたときに可聴音を発生させることで、内箱の収納を知らしめることが可能となり、内箱の完全な収納を促すことができる。
また、内箱が外箱に収納されたときに、突起部が外箱に対して内箱を前方に付勢するので、外箱の前側の部位と内箱との隙間を縮小させ密封性を向上させることができる。
【図面の簡単な説明】
【００１１】
【図１】本願発明の第１の実施形態に係るアップスライドパッケージの形状を示した斜視図である。
【図２】第１の実施形態のアップスライドパッケージの後部構造を示す斜視図である。
【図３】第１の実施形態のアップスライドパッケージにおける内箱のリッドフラップと外箱のインナフラップとの係止要領を示す説明図である。
【図４】第１の実施形態のアップスライドパッケージの内箱収納時における内部構造を示す縦断面図である。
【発明を実施するための形態】
【００１２】
以下、図を参照して本願発明に係る実施形態となるスライドパッケージを説明する。
図１は、本願発明のスライドパッケージの一実施形態であるアップスライドパッケージ１の外観を示す斜視図である。図２は、第１の実施形態のアップスライドパッケージの後部構造を示す斜視図である。
本アップスライドパッケージ１は、シガレット等の棒状喫煙物品を収容するのに好適である。
本実施形態のアップスライドパッケージ１は、図１、２に示すように、内箱２と外箱３を備えている。外箱３は、矩形状をなし、アウタ前壁１２、アウタ後壁１４(後壁)及び一対のアウタ側壁１６を有し、その上端に開口部１８が形成されている。アウタ前壁１２にはその一部が開口してアパーチャ２０が形成され、このアパーチャ２０はアウタ前壁１２の中央に配置されている。
【００１３】
内箱２は外箱３内に上下方向に摺動自在に収容されている。図１は、内箱２の一部が外箱３の開口部１８から上方に突出した状態で示されている。内箱２もまた矩形状をなし、内箱本体２４を含む。この内箱本体２４は、インナ前壁２６、インナ後壁２８、一対のインナ側壁３０及び図示しないインナ底壁を有する。
インナ前壁２６の一部はアパーチャ２０を通じて露出されている。また、インナ前壁２６の上縁は浅いＵ字形に切り取られてノッチ３２が形成されている。
【００１４】
内箱本体２４の上部には、インナ前壁２６、インナ後壁２８及び一対のインナ側壁３０のそれぞれの上縁を縁部とするインナ開口部３４が形成されている。
内箱２はヒンジリッド３６（蓋部）を更に含み、このヒンジリッド３６はインナ開口部３４の後縁にヒンジ線３８を介して接続されている。ヒンジリッド３６はヒンジ線３８の回りに回動し、インナ開口部３４を開閉する。
詳しくは、ヒンジリッド３６は上壁４０(壁部)と、リッド後壁４２及び一対のリッド側壁４４を含む。ヒンジリッド３６が閉位置にあるとき、一対のリッド側壁４４はアウタ側壁１６の上部の内側に収納され、一方、上壁４０はインナ開口部３４を上方から覆う。
【００１５】
図１から明らかなように内箱２には製品、例えばインナパックAが収容されており、このインナパックAは、フィルタシガレットFCの束と、この束を包み込む包材（図示しない）により構成されている。
内箱２が外箱３内に完全に収容された収容位置にあるとき、ヒンジリッド３６は閉位置にあって、ヒンジリッド３６の上壁４０が外箱３の開口部１８を覆うように位置付けられる。
【００１６】
一方、ユーザがアップスライドパッケージ１を片手にて把持し、その手の親指を外箱３のアパーチャ２０を通じ、収容位置にある内箱２に押し当てて内箱２を上方(外方)にスライドさせたとき、ヒンジリッド３６は外箱３の開口部１８から上方(外方)に突出しながらヒンジ線３８の回りに回動し、図１に示されるように開かれる。それ故、ユーザは内箱本体２４内からフィルタシガレットFCを取り出すことができる。
【００１７】
上述した内箱２のスライドに連動したヒンジリッド３６の開操作を可能にするため、アップスライドパッケージ１は開蓋装置(開蓋手段)を有しており、この開蓋装置に関して以下に説明する。
開蓋装置はリッドフラップ４６（係止部材）を含み、このリッドフラップ４６は図２、３から明らかなように上壁４０の後縁からリッド後壁４２に沿って下方に延出し、アウタ後壁１４とインナ後壁２８との間に進入している。リッドフラップ４６には開口部４８（開口穴）が形成されている。開口部４８は、略矩形状であって、下縁が幅方向に延びるように形成されている。
【００１８】
また、リッドフラップ４６には第１折り曲げ線５０が形成されており、この第１折り曲げ線５０はヒンジ線３８と平行、即ち、リッドフラップ４６をその幅方向に横断して延びている。それ故、リッドフラップ４６は第１折り曲げ線５０に沿って折り曲げが許容されている。
【００１９】
更に、図３に示されるように、リッドフラップ４６には必要に応じて第２折り曲げ線５２が形成されている、この第２折り曲げ線５２もまた、リッドフラップ４６をその幅方向に横断して延び、第１折り曲げ線５０とリッドフラップ４６の下縁との間に位置付けられている。例えば、第２折り曲げ線５２は前述した開口部４８の下縁近傍に位置付けられ、開口部４８にて分断されている。
【００２０】
リッドフラップ４６は第１及び第２折り曲げ線５０，５２のそれぞれに沿って一旦折られて、その下縁と第１折り曲げ線５０との間のロア部位がインナ後壁２８から浮き上がった状態にある。
一方、外箱３にはインナフラップ５４が備えられている。なお、図３には外箱３のアウタ後壁１４のみが示されている。インナフラップ５４はアウタ後壁１４の上縁からアウタ後壁１４の内面に沿って下方に延びている。
【００２１】
インナフラップ５４は、アウタ後壁１４の上縁から中間部まで幅が徐々に狭くなるように形成されるとともに、その下端部は開口部４８の幅より狭く形成されている。
外箱３に内箱２が収容されているとき、図３中１点鎖線で示されるようにインナフラップ５４の下端部が、対応する開口部４８に上方から差し込まれ、リッドフラップ４６に対して交差した状態にある。
【００２２】
ここで、前述したリッドフラップ４６のロア部位が浮き上がった状態にあるので、インナ後壁２８とアウタ後壁１４とがリッドフラップ４６を挟んで重ね合わされることで、インナフラップ５４の下端部が対応する開口部４８に差し込まれる。
【００２３】
そして、図２に示すように、内箱２が外箱３の開口部１８から上方に突出され、ヒンジリッド３６がリッドフラップ４６の一部とともに外箱３外に露出した状態において、インナフラップ５４が開口部４８の側縁に突き当たり、更なるインナフラップ５４の開口部４８への挿入が妨げられるように、インナフラップ５４の幅と開口部４８の下縁の上下位置とが設定されている。したがって、このようなインナフラップ５４と開口部４８の側縁との突き当たりは、外箱３からのリッドフラップ４６の更なる突出を規制する。
【００２４】
更に、内箱２を外箱３から突出させようとすると、リッドフラップ４６の更なる突出が規制されているので、内箱２の上昇に伴い、ヒンジリッド３６はヒンジ線３８の回りに後方に向けて回動し、図１に示されるように開かれる。
【００２５】
インナフラップ５４が開口部４８の側縁に突き当たって、リッドフラップ４６の更なる突出が規制されたときに、第１折り曲げ線５０はアウタ後壁１４の上縁よりも上方に位置し、一方、ヒンジ線３８は第１折り曲げ線５０よりも上方に位置している。
【００２６】
それ故、ヒンジ線３８回りのヒンジリッド３６の回動がリッドフラップ４６によって妨げられることもなく、また、第１折り曲げ線５０に沿うリッドフラップ４６の曲げもまたアウタ後壁１４によって妨げられることはない。この結果、前述した内箱２の更なる突出に連動し、ヒンジリッド３６は円滑に開かれる。
【００２７】
更に、リッドフラップ４６には、開口部４８の上方に隣接して、クリックタブ６０（突起部）が設けられている。クリックタブ６０は、開口部４８の上縁から幅方向に互いに間隔をおいて上方に向けて例えば２mm程度の一対の切り込み６１をリッドフラップ４６に入れ、一対の切り込み６１の上端を結ぶタブ折り込み線６２に沿って先端（下端）を後方側に引き起こして形成される。
【００２８】
更に、外箱３のインナフラップ５４には、クリックタブ６０が挿入される開口部６５(係止穴)が設けられている。図４に示すように、内箱２が外箱３に完全に収納されているときには、クリックタブ６０は強く折り曲げられ、先端が上方に反転した状態で開口部６５内に挿入される。
この内箱２が外箱３に完全に収納されている状態から、内箱２を上方に引き出すと、クリックタブ６０の先端がインナフラップ５４の開口部６５の上縁部に係止される。更に内箱２を上方に引き出すと、クリックタブ６０は、先端が反転して下方に向き、クリックタブ６０とインナフラップ５４との係止が解かれる。これにより、更なる内箱２の引き出しが可能となる。
【００２９】
内箱２を外箱から大きく引き出した状態から下方にスライドさせて外箱に収納しようとすると、クリックタブ６０の先端部が外箱３のアウタ後壁１４の上端部に当接して反転し、先端が上方を向いた状態でアウタ後壁１４と内箱２との間にクリックタブ６０が収納される。そして、内箱２が外箱３に完全に収納される直前に、クリックタブ６０が開口部６５へ侵入するように、開口部６５とクリックタブ６０の上下位置が設定されている。
このように、クリックタブ６０とインナフラップ５４とが係止されることで、内箱２の収納状態が保持される。
【００３０】
また、クリックタブ６０が開口部６５へ侵入すると、クリックタブ６０の先端が外箱３のアウタ後壁１４に衝突してクリック音(可聴音)が発生する。これにより、内箱２の完全な収納が判別し易くなる。
また、内箱２の収納時には、図４に示すように、クリックタブ６０が反転した状態でその先端が外箱３のアウタ後壁１４に当接するため、クリックタブ６０の折り曲げの反力によって、リッドフラップ４６がアウタ後壁１４から前方に付勢される。したがって、内箱２が外箱３のアウタ前壁１２に押し付けられ、ヒンジリッド３６の上壁４０やインナ側壁３０の前縁部とアウタ前壁１２とが密着され、内箱収納時におけるアップスライドパッケージ１内の密閉性を向上させることができる。
【００３５】
なお、本発明は前述した実施形態に限定されるものではなく、特許請求の範囲に記載した範囲内で、種々の変更が可能であることは、言うまでもない。
【符号の説明】
【００３６】
１      アップスライドパッケージ（スライドパッケージ）
２      内箱
３      外箱
１４    アウタ後壁（後壁）
１８    開口部
２４    内箱本体
３６    ヒンジリッド（蓋部）
４０    上壁(壁部)
４６    リッドフラップ（開蓋手段、係止部材）
４８    開口部（開口穴）
５４    インナフラップ
６０    クリックタブ（突起部）
６１    切り込み
６５    開口部（係止穴）
７１    スライドパッケージ
７２    内箱
７３    上壁(壁部)
７６    リッドフラップ（係止部材）
【図１】
0005832001.tif 000002
【図２】
0005832001.tif 000003
【図３】
0005832001.tif 000004
【図４】
0005832001.tif 000005